(57)【要約】【課題】  レンズ群の移動枠に有する干渉防止のための切り欠き部を遮蔽する遮光部材を、移動枠に回動自在に嵌合したことで、遮光部材を移動枠とは別の移動群とすることなく、切り欠き部からの不要光を遮蔽するレンズ装置を提供する。【解決手段】  レンズ装置は、光学部材を保持し、外周部の一部に切り欠き部を有し、カム筒に形成された第１のカム溝に係合する第１のカムフォロワを有し、該第１のカム溝に沿って光軸方向に移動する第１の移動枠と、光軸回りで回動自在に該第１の移動枠に保持され、光軸回りでの所定の回転位置において該切り欠き部を覆う遮光部材と、を有し、該遮光部材に配設された第２のカムフォロワが、該カム筒に形成された第２のカム溝に係合し、該第１の移動枠の光軸方向の位置に応じて該遮光部材が該切り欠き部を覆う状態が変化する。【選択図】  図１
2014038213.tif 000002
【特許請求の範囲】
【請求項１】
第１の光学部材を保持し、外周部の一部に切り欠き部を有し、カム筒に形成された第１のカム溝に係合する第１のカムフォロワを有し、該第１のカム溝に沿って光軸方向に移動する第１の移動枠と、
光軸回りで回動自在に該第１の移動枠に保持され、光軸回りでの所定の回動位置において該切り欠き部を覆う遮光部材と、
を有し、
該遮光部材に配設された第２のカムフォロワが、該カム筒に形成された第２のカム溝に係合し、該第１の移動枠の光軸方向の位置に応じて該遮光部材が該切り欠き部を覆う状態が変化する、
ことを特徴とするレンズ装置。
【請求項２】
第２の光学部材を保持し、前記カム筒に形成された第３のカム溝に係合する第３のカムフォロワを有し、該第３のカム溝に沿って光軸方向に移動する第２の移動枠を有し、
該第１の移動枠と該第２の移動枠が所定の間隔より接近するとき、前記遮光部材が前記切り欠き部を開放するよう前記第２のカム溝は形成され、該第１の移動枠の該切り欠き部に、該第２の移動枠の一部が挿通される、
ことを特徴とする請求項１に記載のレンズ装置。
【請求項３】
前記第１の移動枠及び前記第２の移動枠は、変倍に伴い移動することを特徴とする、請求項１又は２に記載のレンズ装置。
【請求項４】
請求項１乃至３のいずれか１項に記載のレンズ装置と、該レンズ装置からの被写体光を受光する撮像素子と、を有することを特徴とする撮像装置。
【発明の詳細な説明】
【技術分野】
【０００１】
本発明は、レンズ装置に関し、特に、レンズ装置の鏡筒内の遮光に関するものであり、また、該レンズ装置を有する撮像装置に関するものである。
【背景技術】
【０００２】
第１レンズである変倍レンズと、第２レンズである補正レンズを備えるズームレンズ装置において、より高倍率を実現するためには、変倍レンズの移動距離を長く設定する必要がある。しかし、撮影倍率を確保しつつ、レンズの光軸長を短くしてコンパクト化を図ろうとすると、変倍レンズの移動範囲によっては、第１レンズを支持する移動枠と、第２レンズを支持する移動枠が接近する際に、移動枠同士が干渉してしまう場合がある。そのため、レンズ移動枠にはレンズ移動枠同士が干渉する部分に切り欠き部を設け、その切り欠き部に相手側の移動枠との接触を避けて逃がす構成とすることにより、レンズ移動枠同士の干渉を防止している。しかし、レンズ移動枠同士が離れている際には、レンズ移動枠の切り欠き部から不要な光（有害光）が入射し、画質の低下を招く。そのため、レンズ移動枠同士が離れている際には、移動枠の切り欠き部を遮蔽する必要がある。
【０００３】
特許文献１、２では、レンズ群のレンズ移動枠の前方や外方に、レンズ移動枠とは別の移動群として遮光部材や遮光筒を設け、ズーミングに応じてそれらを移動し、切り欠き部からの不要光を遮蔽する提案がなされている。
【先行技術文献】
【特許文献】
【０００４】
【特許文献１】特開平１０−２６８１７４号公報
【特許文献２】特開平９−３３７８１号公報
【発明の概要】
【発明が解決しようとする課題】
【０００５】
しかしながら、上述の特許文献では、レンズ移動枠とは別の移動群として遮光部材や遮光筒をレンズ移動枠の前方や外方に設けているため、それらの部品を配設するスペースが必要であり、更に、構造が複雑となってしまう。
【０００６】
そこで、本発明の目的は、遮光部材をレンズ移動枠とは別の移動群とすることなく、切り欠き部からの不要光を遮蔽するレンズ装置を提供することである。
【課題を解決するための手段】
【０００７】
上記目的を達成するために、本発明のレンズ装置は、第１の光学部材を保持し、外周部の一部に切り欠き部を有し、カム筒に形成された第１のカム溝に係合する第１のカムフォロワを有し、該第１のカム溝に沿って光軸方向に移動する第１の移動枠と、光軸回りで回動自在に該第１の移動枠に保持され、光軸回りでの所定の回転位置において該切り欠き部を覆う遮光部材と、を有し、該遮光部材に配設された第２のカムフォロワが、該カム筒に形成された第２のカム溝に係合し、該第１の移動枠の光軸方向の位置に応じて該遮光部材が該切り欠き部を覆う状態が変化する、ことを特徴とする。
【発明の効果】
【０００８】
本発明によれば、遮光部材をレンズ移動枠とは別の移動群とすることなく、移動枠の位置に対応して、遮光部材が移動枠の切り欠き部を遮蔽、開放するレンズ装置を提供することができる。
【図面の簡単な説明】
【０００９】
【図１】レンズ装置の各移動枠が広角端に位置したときの断面図
【図２】レンズ装置の各移動枠が広角端に位置したときの斜視図
【図３】レンズ装置の各移動枠が望遠端に位置したときの断面図
【図４】レンズ装置の各移動枠が望遠端に位置したときの斜視図
【図５】移動枠に設けた遮光部材の平面図
【図６】カム筒に設けたカム溝
【発明を実施するための形態】
【００１０】
以下に、本発明の好ましい実施の形態を、添付の図面に基づいて詳細に説明する。
【００１１】
図１、２は、本実施例におけるレンズ装置１が広角端に位置したときの断面図と斜視図を示している。また、図３、４は、レンズ装置１が望遠端に位置したときの断面図と斜視図を示している。図５は、移動枠１３ａに設けた遮光部材１４の平面図を示す。図６は、カム筒４に設けられた移動枠１３ａ、１３ｂと遮光部材１４のカム溝７ａ、７ｂ、７ｃを示しており、矢印５０ａは被写体側、矢印５０ｂは撮像素子側、矢印６０ａは広角端側、矢印６０ｂは望遠端側を示している。
【００１２】
図１を参照して、ズーム部の機構について説明する。レンズ装置１は、複数のレンズ群を有し、ズーム部の前後には、フォーカスレンズ群１０や不図示のリレーレンズ群が配置される。フォーカスレンズ群１０は、光軸方向３０に沿って移動自在に設けられ、不図示の駆動手段によって駆動される。これにより、ピント調整が行われる。レンズ群１１（第１の光学部材）は移動枠１３ａ（第１の移動枠）に支持され、レンズ群１２（第２の光学部材）は移動枠１３ｂ（第２の移動枠）に支持されている。カム筒４には、移動枠１３ａ、１３ｂと遮光部材１４の光軸方向３０の軌跡を描いたカム溝７ａ、７ｂ、７ｃが構成されており、カム筒４は固定筒３の内側で光軸方向３０周りに回動自在に配置されている。固定筒３には、移動枠１３ａ、１３ｂを光軸方向３０に沿って摺動可能にさせる直進溝６ａ、６ｂ（第１のカム溝、第３のカム溝）が付設されている。移動枠１３ａ、１３ｂには、固定筒３に設けられた直進溝６ａ、６ｂと、カム筒４に設けられたカム溝７ａ、７ｂに係合するカムフォロワ５ａ、５ｂ（第１のカムフォロワ、第３のカムフォロワ）が、光軸回り３０に複数形成されている。ズームリング２は、光軸回り３０に回動自在で固定筒３に嵌合され、連結ピン９を介してカム筒４に連結されている。ズームリング２を回動することにより、カム筒４も回動し、移動枠１３ａ、１３ｂが、カム溝７ａ、７ｂと直進溝６ａ、６ｂとによる直進案内作用によって、光軸方向３０に所定の軌道に沿って移動する。このように、移動枠１３ａ、１３ｂが光軸方向３０に沿って移動し、レンズの間隔を変化させることで、変倍を行う。
【００１３】
次に、図１から図６を参照して、移動枠１３ａの切り欠き部１６ａの遮蔽について説明する。移動枠１３ａは、ズーム途中で移動枠同士（１３ａ，１３ｂ）が接近した際に、移動枠同士の干渉を防ぐため、移動枠１３ｂの一部と干渉する、移動枠１３ａの外周部の所定の箇所に切り欠き部１６ａを３箇所有しており、移動枠１３ｂと干渉しない構造になっている。図１に示した広角端において、切り欠き部１６ａに到達する光線２０は、光線２１のように切り欠き部１６ａを通過し、レンズ群１２を抜けて撮像素子に結像され、得られる画質の低下を招く原因となる、有害光となる場合がある。そのため、広角端においては、図１に示すように、遮光部材１４を用いて切り欠き部１６ａを光軸方向において覆って遮蔽することにより、切り欠き部１６ａに到達する光が切り欠き部１６ａを通過して有害光となることを防ぐ。望遠端のような移動枠１３ａ、１３ｂが接近する場合には、遮光部材１４と移動枠１３ｂの干渉を防止するため、遮光部材１４が光軸方向３０周りに回動し、切り欠き部１６ａを開放する。しかし、切り欠き部１６ａに移動枠１３ｂが挿通するため、切り欠き部１６ａに到達する光が切り欠き部１６ａを通過することはなく遮蔽され、画質の低下を招くことはない。
【００１４】
次に、遮光部材１４の動作について説明する。図５に示すように、遮光部材１４は、移動枠１３ｂとの干渉を防ぐための切り欠き部１６ｂと、移動枠１３ａに回動自在で嵌合し保持される開口部１７と、カム筒４に設けられたカム溝７ｃ（第２のカム溝）に係合する係合部８（第２のカムフォロワ）を有する。遮光部材１４は、開口部１７が移動枠１３ａに回動自在で嵌合され、係合部８がカム筒４に設けられたカム溝７ｃに係合された後、移動枠１３ａに嵌合される抜止用押えリング１５によって抜け止めされる。広角端の状態を示した図２においては、遮光部材１４は、移動枠１３ａの切り欠き部１６ａを隠すように配置されている。これにより、フォーカスレンズ群１０を通過した光のうちの画質の劣化の原因となる光線２０は、遮光部材１４で遮蔽されてレンズ群１２には入射せず、画質の低下を招くことはない。ここで、ズーム位置が広角側から望遠側に移動する場合、ズームリング２が光軸方向３０周りに回転し、連結ピン９により連結されているカム筒４も光軸方向３０周りに回転する。これにより、移動枠１３ａと遮光部材１４は、カム筒４に設けられたカム溝７ａ、７ｃの軌跡に沿って、光軸方向３０に一体的に協働する。図６に示したカム溝７ａ、７ｃの７０ａの範囲において、移動枠１３ａと遮光部材１４は、同位相で光軸方向３０に沿って移動する。その際、遮光部材１４は移動枠１３ａの切り欠き部１６ａを遮蔽している（光軸方向において覆っている）。７０ｂの範囲になると、カム溝７ａ、７ｃの軌跡が変化することで、遮光部材１４が移動枠１３ａに対して図４に示した矢印４０方向に相対的に回動し、遮光部材１４と移動枠１３ｂが干渉する前に切り欠き部１６ａが開放される。７０ｃの範囲では、７０ａと同様に移動枠１３ａと遮光部材１４は同位相で光軸方向３０に沿って移動し、その際切り欠き部１６ａには移動枠１３ｂが挿通する。すなわち、遮光部材１４は移動枠１３ａに対する所定の回動位置において、移動枠１３ａの切り欠き部１６ａを光軸方向において覆い、遮蔽する。
【００１５】
以上のように、本実施例によれば、遮光部材を移動枠とは別の移動群として配設することなく、移動枠の切り欠き部を必要なズーム位置においてのみ遮蔽することができる。更に、遮光部材１４と第２のレンズ１２を支持する移動枠１３ｂが非接触で遮蔽／開放状態の変更が可能であるため、衝突音や振動を発生させることなく、切り欠き部からの有害光の入射を防止することができる。また、遮光部材を共通のカム筒に設けられたカム溝によって移動させたため、部品点数を大幅に増やすことなく遮光部材の移動機構を構成することができ、コストダウンにもつなげることができる。
【００１６】
上記した実施例では、ズーム部を構成するレンズ群について例示して説明したが、本発明はこれに限定されるものではない。ズーム部を構成する群以外のレンズ群や、絞り等の他の光学要素についても本発明の構成を適用し、有害光の撮像素子への入射を防止し、本発明の効果を享受することが出来る。また、本発明のレンズ装置を有し、本発明のレンズ装置からの被写体光を受光する撮像素子を有する撮像装置によって、有害光が撮像素子に入射することがなく、有害光による撮像画質の劣化のない撮像装置を提供することができる。
【００１７】
以上、本発明の好ましい実施形態について説明したが、本発明はこれらの実施形態に限定されず、その要旨の範囲内で種々の変形及び変更が可能である。
【符号の説明】
【００１８】
１：          レンズ装置
４：          カム筒
５ａ〜５ｂ：  カムフォロワ
７ａ〜７ｃ：  カム溝
８：          係合部
１３ａ〜１３ｂ：  移動枠
１４：        遮光部材
１６ａ〜１６ｂ：  切り欠き部
１７：        開口部
【図１】
2014038213.tif 000003
【図２】
2014038213.tif 000004
【図３】
2014038213.tif 000005
【図４】
2014038213.tif 000006
【図５】
2014038213.tif 000007
【図６】
2014038213.tif 000008